(57)【要約】【課題】通信特性を低下させることがない電力線通信システム及びバイパス接続具を提供する。【解決手段】第一及び第二通信装置２，３が、分電盤５４で分配されたそれぞれ系統の異なる分岐系配電線Ａ，Ｃの各電源コンセントＡ２、Ｃ２に接続され、電力線通信の信号を通過させるが商用電力は通過させないバイパス接続具４を、当該接続具４の対の電源プラグ４３を電源コンセントＡ２と、電源コンセントＥ１にそれぞれ接続して、当該両電源コンセントＡ２、Ｅ１間をバイパス接続する。【選択図】図１
2008042456.tif 000002
【特許請求の範囲】
【請求項１】
複数の電源コンセントを有する電力線配線網に複数の電力線通信装置が接続された電力線通信システムであって、
前記電力線配線網上の複数の電源コンセント間をバイパス接続するためのバイパス接続具を備え、
当該バイパス接続具は、前記電力線配線網上の前記電源コンセントに差込み可能な対の電源プラグと、これら対の電源プラグ間において電力線通信の信号は通過させるが商用電力は通過させないフィルタ部と、を備えていることを特徴とする電力線通信システム。
【請求項２】
前記電力線配線網は、分電盤と、分電盤から分岐して延設された複数の配電線とを有し、前記バイパス接続具は、当該バイパス接続具の電源プラグを、一の配電線の電源コンセント及び他の一の配電線の電源コンセントに接続させて設けられていることを特徴とする請求項１に記載の電力線通信システム。
【請求項３】
前記複数の配電線は、１つの配電線上に単一の電源コンセントが設けられた単独系配電線と、１つの配電線上に複数の電源コンセントが設けられた分岐系配電線とを含み、
前記バイパス接続具は、当該バイパス接続具の電源プラグを、前記単独系配電線の電源コンセント及び前記分岐系配電線の電源コンセントに接続させて設けられていることを特徴とする請求項２に記載の電力線通信システム。
【請求項４】
前記複数の配電線は、１つの配電線上に複数の電源コンセントが設けられた分岐系電力線を複数含み、
前記バイパス接続具は、当該バイパス接続具の電源プラグを、一の分岐系配電線の電源コンセント及び他の一の分岐系配電線の電源コンセントに接続させて設けられていることを特徴とする請求項２又は３に記載の電力線通信システム。
【請求項５】
複数の電源コンセントを有する電力線配線網に複数の電力線通信装置が接続された電力線通信システム中で、前記電力線配線網上の複数の電源コンセント間をバイパス接続するためのバイパス接続具であって、
前記電力線配線網上の前記電源コンセントに差込み可能な対の電源プラグと、これら対の電源プラグ間において電力線通信の周波数帯域の信号は通過させるが商用電力は通過させないフィルタ部と、を備えていることを特徴とする電力線通信システムのバイパス接続具。
【請求項６】
他の機器の電源プラグが接続可能なプラグ差込部を備え、
当該プラグ差込部は、当該プラグ差込部に差し込まれた他の機器が、当該プラグ差込部経由で電力供給を受けられるように、前記バイパス接続具の前記対の電源プラグのいずれかと接続されていることを特徴とする請求項５に記載の電力線通信システムのバイパス接続具。
【請求項７】
前記他の機器から発生するノイズが、前記プラグ差込部を介して電力線配線網に伝わるのを防止するノイズカット部を備えていることを特徴とする請求項６に記載の電力線通信システムのバイパス接続具。
【請求項８】
電力線通信の信号が、前記プラグ差込部を介して前記他の機器に伝わるのを防止する信号阻止部を備えていることを特徴とする請求項６又は７に記載の電力線通信システムのバイパス接続具。
【発明の詳細な説明】
【技術分野】
【０００１】
本発明は、電力線を使用して高速データ伝送を行うことが出来る電力線通信（ＰＬＣ）システム、及び通信線路をバイパスするためのバイパス接続具に関する。
【背景技術】
【０００２】
近年、電力線に高周波信号を重畳して通信を行う電力線通信(ＰＬＣ：Ｐｏｗｅｒ  Ｌｉｎｅ  Ｃｏｍｍｕｎｉｃａｔｉｏｎ)システムが検討されている。このシステムは、電力線配線網に複数の電力線通信装置が接続された電力線通信システムであり、例えば、外部ネットワークと通信信号による通信が可能な親モデムと、屋内に配置されて親モデムと通信可能な子モデムとを備え、親モデムは通信線に通信信号の注入や抽出を行い、子モデムは屋内配線及びパソコンに接続され、通信信号を抽出してパソコンに伝送し当該パソコンからの通信信号を電力線に注入するものが知られている（例えば、特許文献１参照）。
【特許文献１】特開２００５−２９５５０１号公報
【発明の開示】
【発明が解決しようとする課題】
【０００３】
しかし、特許文献１のシステムでは、親モデムと子モデムはそれぞれ複数の電源コンセントを有する電力線配線網に取り付けられるため、両モデム間には配電線の分岐が多数存在し、通信特性が低下するという問題がある。
本発明は上記従来技術の問題点に鑑み、通信特性を低下させることがない電力線通信システム及びバイパス接続具を提供することを目的とする。
【課題を解決するための手段】
【０００４】
上記目的を達成するため、本発明は次の技術的手段を講じた。
すなわち、本発明は、複数の電源コンセントを有する電力線配線網に複数の電力線通信装置が接続された電力線通信システムであって、前記電力線配線網上の複数の電源コンセント間をバイパス接続するためのバイパス接続具を備え、当該バイパス接続具は、前記電力線配線網上の前記電源コンセントに差込み可能な対の電源プラグと、これら対の電源プラグ間において電力線通信の信号は通過させるが商用電力は通過させないフィルタ部と、を備えていることを特徴とする。
上記本発明によれば、電力線通信の信号は通過させるが商用電力は通過させないフィルタ部を有するバイパス接続具により電力線配線網上の複数の電源コンセント間がバイパス接続されるため、通信線路上の分岐が減少され通信特性を向上させることができる。また、当該バイパス接続具は、対の電源プラグを有しており、例えば屋内の電源コンセントに接続することができるため、簡単に取り付けることができる。
【０００５】
上記本発明において、前記電力線配線網は、分電盤と、分電盤から分岐して延設された複数の配電線とを有し、前記バイパス接続具は、当該バイパス接続具の電源プラグを、一の配電線の電源コンセント及び他の一の配電線の電源コンセントに接続させて設けられていることが好ましい。
この場合、分電盤から分岐して延設された複数の配電線間の通信線路をバイパス接続具により簡単にバイパスすることができる。
【０００６】
上記本発明において、前記複数の配電線は、１つの配電線上に単一の電源コンセントが設けられた単独系配電線と、１つの配電線上に複数の電源コンセントが設けられた分岐系配電線とを含み、前記バイパス接続具は、当該バイパス接続具の電源プラグを、前記単独系配電線の電源コンセント及び前記分岐系配電線の電源コンセントに接続させて設けられていることが好ましい。
この場合、分電盤から分岐して延設された単独系配電線と分岐系配電線間の通信線路をバイパス接続具により簡単にバイパスすることができ、さらに当該単独系配電線が介在することで通信線路上の分岐数が減少するので通信特性を向上させることができる。
【０００７】
上記本発明において、前記複数の配電線は、１つの配電線上に複数の電源コンセントが設けられた分岐系電力線を複数含み、前記バイパス接続具は、当該バイパス接続具の電源プラグを、一の分岐系配電線の電源コンセント及び他の一の分岐系配電線の電源コンセントに接続させて設けられていることが好ましい。
この場合、分電盤から分岐して延設された二つの分岐系配電線間の通信線路をバイパス接続具により簡単にバイパスすることができる。
【０００８】
また、本発明は、複数の電源コンセントを有する電力線配線網に複数の電力線通信装置が接続された電力線通信システム中で、前記電力線配線網上の複数の電源コンセント間をバイパス接続するためのバイパス接続具であって、前記電力線配線網上の前記電源コンセントに差込み可能な対の電源プラグと、これら対の電源プラグ間において電力線通信の周波数帯域の信号は通過させるが商用電力は通過させないフィルタ部と、を備えていることを特徴とする。
上記本発明によれば、電力線通信の信号は通過させるが商用電力は通過させないフィルタ部を有するバイパス接続具により電力線配線網上の複数の電源コンセント間がバイパス接続されるため、通信線路上の分岐が減少され通信特性を向上させることができる。また、当該バイパス接続具は、対の電源プラグを有しており、例えば屋内の電源コンセントに接続することができるため、簡単に取り付けることができる。
【０００９】
上記本発明のバイパス接続具において、他の機器の電源プラグが接続可能なプラグ差込部を備え、当該プラグ差込部は、当該プラグ差込部に差し込まれた他の機器が、当該プラグ差込部経由で電力供給を受けられるように、前記バイパス接続具の前記対の電源プラグのいずれかと接続されていることが好ましい。
この場合、バイパス接続具に備えられたプラグ差込部に例えばエアコン等の他の機器の電源プラグを接続して、当該他の機器に電力供給を行うことができる。
【００１０】
上記本発明のバイパス接続具において、前記他の機器から発生するノイズが、前記プラグ差込部を介して電力線配線網に伝わるのを防止するノイズカット部を備えていることが好ましい。
この場合、バイパス接続具の当該ノイズカット部で、他の機器から発生するノイズがプラグ差込部を介して電力線配線網に伝わるのを防止することができる。
【００１１】
上記本発明のバイパス接続具において、電力線通信の信号が、前記プラグ差込部を介して前記他の機器に伝わるのを防止する信号阻止部を備えていることが好ましい。
この場合、バイパス接続具の当該信号阻止部で、電力線通信の信号がプラグ差込部を介して他の機器に伝わるのを防止することができる。
【発明の効果】
【００１２】
上記の通り、本発明の電力線通信システム及びバイパス接続具によれば、電力線配線網上の複数の電源コンセント間がバイパス接続されるため、通信線路間における電力線配線網上の分岐が減少し通信特性を向上させることができる。
【発明を実施するための最良の形態】
【００１３】
以下、本発明の実施形態について説明する。図１は、本発明に係る電力線通信システムの一実施形態を示す概略図である。この電力線通信システム１は、複数の電源コンセント（電源プラグの差込み部）を有する電力線配線網Ｍに複数の電力線通信装置Ｓが接続されたものであり、上位ネットワークとパーソナルコンピュータ（以下、ＰＣという）等の機器との間で送受信を行うものである。電力線配線網Ｍには、上位ネットワークと通信可能な電力線通信装置としての第一通信装置２と、この装置２と通信可能な電力線通信装置としての第二通信装置３とが接続されている。さらに、当該電力線配線網Ｍには、複数の電源コンセント間をバイパス接続するためのバイパス接続具４が設けられている。
【００１４】
高圧配電線５０から供給された高電圧の電力は、柱上変圧器によって低電圧の電力に変換され、低電圧の電力は電力量計５１を介して家屋５２内の電力線配線網に供給される。家屋５２内の電力線配線網は、電力量計５１から分電盤５３に引き込まれた幹線５４と、当該分電盤５３からノンフューズブレーカ５５を介して分配された複数の配電線とで構成されている。複数の配電線は、四つの分岐系配電線Ａ〜Ｄと、二つの単独系配電線Ｅ、Ｆからなる。分岐系配電線Ａは、枝分かれした分岐線Ａａ、Ａｂ、Ａｃを有すると共に、当該分岐系配電線Ａの終端に設けられた各二つの電源コンセントＡ１、各分岐線分岐線Ａａ、Ａｂ、Ａｃに設けられた各二つの電源コンセントＡ２、Ａ３、Ａ４を有している。
【００１５】
また、他の各分岐系配電線Ｂ、Ｃ、Ｄも上記分岐系配電線Ａと同様の構成とされている。分岐系配電線Ｂは、分岐線Ｂａ、Ｂｂ、Ｂｃ、及び当該各分岐線に設けられた各二つの電源コンセントＢ１、Ｂ２、Ｂ３、Ｂ４を有している。また、分岐系配電線Ｃは、分岐線Ｃａ、Ｃｂ、Ｃｃ、及び当該各分岐線に設けられた各二つの電源コンセントＣ１、Ｃ２、Ｃ３、Ｃ４を有している。また、分岐系配電線Ｄは、分岐線Ｄａ、Ｄｂ、Ｄｃ、及び当該各分岐線に設けられた各二つの電源コンセントＤ１、Ｄ２、Ｄ３、Ｄ４を有している。また、単独系配電線Ｅ、Ｆには、分岐線がなくその終端に、単一の電源コンセントＥ１、Ｆ１が設けられている。
【００１６】
第一通信装置２は、家屋５２内に引き込まれた光ファイバケーブル５６と接続されている。また、第一通信装置２は、図３に示すように当該装置２に設けられた電源プラグ２１で分岐配電線Ａの分岐線Ａａに設けられた一の電源コンセントＡ２（図３の下側の電源コンセント）に接続されている。そして、当該第一通信装置２は、配線５６からの高周波信号を同分岐系配電線Ａに重畳し、第二通信装置３からの高周波信号を光ファイバケーブル５６に送る。第一通信装置２と通通信可能な第二通信装置３は、図示しない電源プラグで分岐電力線Ｃの分岐線Ｃａに設けられた電源コンセントＣ２に接続され、かつＰＣにも接続されて、分岐電力線Ｃから高周波信号を取り出してＰＣに送信し、ＰＣからの高周波信号を当該分岐電力線Ｃに重畳する。
【００１７】
また、第一通信装置２が接続された分岐線Ａａに設けられた一の電源コンセントＡ２（図３の上側の電源コンセント）と、単独系配電線Ｅの電源コンセントＥ１間には、当該両電源コンセントＡ２、Ｅ１間をバイパス接続するためのバイパス接続具４が設けられている。図２のようにバイパス接続具４は、本体部４１と、その両側に設けられたコード部４２と、各コード部４２の終端に設けられた電源プラグ４３とを備えている。電源プラグ４３は、プラグ本体４３ａと電力線配線網の各電源コンセントに差し込み可能とされたプラグピン４３ｂとからなり、コード部４２は、外側の絶縁性樹脂４２ａとこの樹脂４２ａで被覆された二つの電線ｓ１、ｓ２とからなっている。また、本体部４１は、外側のケース４１ａと、各コード部４２の二つの電線ｓ１、ｓ２から延長された電線ｓ１、ｓ２と、当該各電線ｓ１、ｓ２に設けられ、静電容量（０．０１６５μＦ〜０．０６６μＦ）を有する二つのコンデンサ４１ｂとからなっている。また、一方のコード部４２の基端が着脱部４４となっており、当該コード部４２とこれに付けられた電源プラグ４３が、本体部４１に対して着脱自在となっている。
【００１８】
そして、本体部４ｃ１には上記構成より高周波信号の周波数（２〜３０ＭＨｚ）に対しては低インピーダンスとなり、かつ商用周波数に対しては高インピーダンスとなるフィルタ部７が形成されている。すなわち、当該フィルタ部７は、電力線通信の信号は通過させるが商用電力は通過させないハイパスフィルタの機能を有している。
【００１９】
なお、コンデンサ４１ｂの上記静電容量は、０．００１μＦ〜１ｍＦであればよい。静電容量の上限を１ｍＦとする理由は、静電容量が大きいほど（インピーダンスが低いほど）上記の効果が得られやすくなる反面、物理的にコンデンサが大型化してしまうため、現実に使用される１００Ｖ耐圧のコンデンサとした場合、１ｍＦが妥当な値となるからである。また、静電容量の下限を０．００１μＦとする理由は、分岐系配電線Ａや単独系配電線Ｅの線路のインピーダンスを考慮したものである。ＰＬＣ帯域（２〜３０ＭＨｚ）における当該線路のインピーダンスは概ね５０〜１００Ωであるため、バイパス接続具４のフィルタ部７のインピーダンスが２０Ω程度であれば高周波信号の周波数を通す効果が得られる。つまり、ＰＬＣ帯域（２〜３０ＭＨｚ）における分岐系配電線Ａや単独系配電線Ｅの線路のインピーダンスよりも、バイパス接続具４のフィルタ部７のインピーダンスが低ければ高周波信号の周波数を通す効果が得られることになる。このことから、ＰＬＣ帯域の中心の１６ＭＨｚにおいて２０Ωとなる静電容量である０．００１μＦを下限とした。
【００２０】
そして、バイパス接続具４の一方の電源プラグ４３が、図３のように分岐系配電線Ａの分岐線Ａａの一の電源コンセントＡ２に接続され、他方の電源プラグ４３が、図４のように単独系配電線Ｅの電源コンセントＥ１に接続され、当該両電源コンセントＡ２、Ｅ１間がバイパスされている。
本実施形態の電力線通信システム１では、上記バイパス接続具４により両電源コンセントＡ２、Ｅ１間がバイパスされていることで第一通信装置２と第二通信装置３間の通信が単独系配電線Ｅを含む通信線路を介して行われる。従って、バイパス接続具４が設けられていない場合に比べて通信線路上の分岐線Ａｂ及び分岐線Ａｃがなくなり、分岐線の数が減少する。これにより、第一、第二通信装置２，３間における通信特性が向上する。図５は、本実施形態に対応した模擬配電線における減衰試験の結果である。バイパス接続具４を設けてバイパス有りとした方が、バイパス接続具４を設けずバイパス無しとした場合に比べて高周波の減衰量が小さくなっていることが解る。
【００２１】
本実施形態の電力線通信システム１によれば、電力線通信の信号を通過させるが商用電力は通過させないバイパス接続具４により、第一通信装置２と第二通信装置３間の電源コンセントＡ２、Ｅ１間がバイパス接続され、通信が単独系電力線ｂ１を含む線路を介して行われるので、通信線路上の分岐が減少して通信特性を向上させることができる。また、当該バイパス接続具４は、電源プラグ４３を有しており、例えば屋内の電源コンセントに接続することができるため、簡単に取り付けることができる。
【００２２】
図６は、本発明に係る電力線通信システムの第二実施形態を示す概略図である。このシステム１０が上記実施形態のシステム１と異なる点は、バイパス接続具４が当該システム１とは違う箇所の電源コンセントに接続されている点である。具体的には、バイパス接続具４の一方の電源プラグ４３が、第一通信装置２が接続された分岐線Ａａとは異なる分岐線Ａｃの電源コンセントＡ４に接続され、他方の電源プラグ４３が、第二通信装置３が接続された分岐線Ｃａとは異なる分岐線Ｃｃの電源コンセントＣ４に接続されている。この場合、第一通信装置２と第二通信装置３間の通信が、配電盤５４を介さずに行われるため通信特性を向上させることができる。当該第二実施形態のシステム１０に対応した模擬配電線における減衰試験の結果を図７に示す。同図に示すように、バイパス接続具４を設けてバイパス有りとした方が、バイパス接続具４を設けずバイパス無しとした場合に比べて高周波の減衰量が小さくなっていることが解る。
【００２３】
図８は、本発明に係る電力線通信システムの第三実施形態を示す概略図である。このシステム２０が上記各実施形態のシステム１、１０と異なる点は、バイパス接続具４が当該システム１，１０とは違う箇所の電源コンセントに接続されている点である。具体的には、バイパス接続具４の一方の電源プラグ４３が、第二通信装置３が接続された分岐線Ｃａと異なる分岐線Ｃｂの電源コンセントＣ３に接続され、他方の電源プラグ４３が、単独系配電線Ｆの電源コンセントＦ１に接続されている。この場合、バイパス接続具４により両電源コンセントＣ３、Ｆ１間がバイパスされ第一通信装置２と第二通信装置３間の通信が単独系配電線Ｆを含む線路を介して行われる。従って、バイパス接続具４が設けられていない場合に比べて通信線路上の分岐線Ｃｃがなくなり、分岐線の数が減少する。これにより、第一、第二通信装置２，３間における通信特性を向上させることができる。
【００２４】
図９は、バイパス接続具４の変形例を示している。この変形例に係るバイパス接続具４は、例えばエアコンが設置された室内の電源コンセント間に設けられるものである。以下、上記第一実施形態の単独系配電線Ｅの電源コンセントＥ１がエアコン専用の電源コンセントとされ、当該第一実施形態の分岐系配電線Ａの電源コンセントＡ２が同じ室内の通常の電源コンセントがとされている場合について説明する。このバイパス接続具４は、立方形状の本体部ｈ（４１）と、この本体部ｈの第一面に設けられたプラグピン４３ｂと、本体部ｈの第二面に設けられたプラグ差込部としての電源コンセント４５と、本体部ｈの第三面に着脱自在に設けられたコード部４２と、このコード部４２の終端に設けられた電源プラグ４３とを備えている。
【００２５】
プラグピン４３ｂは、エアコン８０用の専用コンセント（単独系配電線Ｅの電源コンセントＥ１）に接続されている。電源コンセント４５には、エアコン８０の電源プラグ８１が接続されている。また、電源プラグ４３は、上記電源コンセントＡ２に接続されている。また、バイパス接続具４のコード部４２には、リール具４６が設けられている。これにより、専用コンセントＥ１から電源コンセントＡ２までの距離に応じて調整できるようになっている。なお、本変形例に係るバイパス接続具４は、図２で説明したバイパス接続具の構成を組み入れたものであるが、一方の電源プラグ４３のプラグ本体４３ａは、当該バイパス接続具４の本体部ｈと一体化されている。
【００２６】
なお、本変形例に係るバイパス接続具４を第三実施形態に対応させた場合では、本体部ｈの第一面に設けられたプラグピン４３ｂは、単独系配電線Ｆの電源コンセントＦ１に接続され、電源プラグ４３は、分岐系配電線Ｃの電源コンセントＣ３に接続される。
図１０は、当該バイパス接続具４の回路図である。外側の波線で囲われた部分が本体部ｈに相当する部分である。電源コンセント４５から出た一方の電線とプラグ本体４３ａから出た一方の電線との間、及びプラグ差込部４５から出た他方の電線と当該プラグ本体４３ａから出た他方の電線との間には、それぞれインダクタ４７が設けられている。また、当該二つのインダクタ４７の電源コンセント４５側の両電線間が橋端架けされており、ここにコンデンサ４８が設けられている。さらに、両電源プラグ４３間にフィルタ部７を形成すべくコンデンサ４１ｂが設けられている。
【００２７】
上記の回路構成により、電源コンセント４５に差し込まれたエアコン８０が、当該電源コンセント４５経由で電源コンセントＥ１からの電力供給を受けることができる。また、エアコン８０から発生するノイズが、電源コンセント４５を介して分岐系配電線Ａや単独系配電線Ｅに伝わるのを防止するノイズカット部７０が構成されている。これにより、エアコン８０から発生するノイズが、電力線通信網に入ってこないので、当該ノイズにより通信特性を低下させることがない。また、このノイズカット部７０は、電力線通信の信号が電源コンセント４５を介してエアコン８０に伝わるのを防止する信号阻止部７１ともなっている。これにより、電力線通信の信号がエアコン８０に伝わらないので、当該信号のエアコン８０への影響を低減することができる。
【００２８】
なお、上記各実施形態はすべて例示であって制限的なものではない。本発明の技術的範囲は特許請求の範囲によって規定され、そこに記載された構成と均等の範囲内のすべての変更も本発明の技術的範囲に含まれる。例えば、上記電力線配線網にバイパス接続具４を二つ或いはそれ以上設けてもよい。例えば、一のバイパス接続具４の各電源プラグ４３を図１に示した第一実施形態のシステムと同じ電源コンセントＡ２、Ｅ１に接続し、他の一のバイパス接続具４の各電源プラグ４３を図８に示した第三実施形態のシステムと同じ電源コンセントＣ３、Ｆ１に接続してもよい。この場合、第一通信装置２と第二通信装置３間の通信が二つの単独系配電線Ｅ、Ｆを含む線路を介して行われ通信線路上の分岐線がなくなる。これにより、第一、第二通信装置２，３間における通信特性が向上する。このようにバイパス接続具４の各電源プラグ４３を接続する電源コンセントは、両装置２，３間の通信線路をバイパスし得る状態であれば、どのように設けてもよい。
【図面の簡単な説明】
【００２９】
【図１】本発明に係る電力線通信システムの一実施形態を示す概略図である。
【図２】バイパス接続具の構成図である。
【図３】分岐系配電線の電源コンセントにバイパス接続具の電源プラグと第一通信装置の電源プラグを接続する状態を示す図である。
【図４】単独系配電線の電源コンセントにバイパス接続具の電源プラグを接続する状態を示す図である。
【図５】模擬配電線での減衰試験の結果である。
【図６】電力線通信システムの第二実施形態を示す概略図である。
【図７】図６のシステムにおける模擬配電線での減衰試験の結果である。
【図８】電力線通信システムの第三実施形態を示す概略図である。
【図９】バイパス接続具の変形例を示す斜視図である。
【図１０】図９のバイパス接続具の回路図である。
【符号の説明】
【００３０】
１  電力線通信システム
２  第一通信装置
３  第二通信装置
４  バイパス接続具
７  フィルタ部
４１ｂ  コンデンサ
４３  電源プラグ
４５  電源コンセント（プラグ差込部）
５３  分電盤
７０  ノイズカット部
７１  信号阻止部
８０  エアコン
Ａ〜Ｄ  分岐系配電線
Ｅ、Ｆ  単独系配電線電源
Ａ１〜Ａ４  電源コンセント
Ｂ１〜Ｂ４  電源コンセント
Ｃ１〜Ｃ４  電源コンセント
Ｄ１〜Ｄ４  電源コンセント
Ｅ１、Ｆ１  電源コンセント
【図１】
2008042456.tif 000003
【図２】
2008042456.tif 000004
【図３】
2008042456.tif 000005
【図４】
2008042456.tif 000006
【図５】
2008042456.tif 000007
【図６】
2008042456.tif 000008
【図７】
2008042456.tif 000009
【図８】
2008042456.tif 000010
【図９】
2008042456.tif 000011
【図１０】
2008042456.tif 000012